(57)【要約】【課題】個人の身分の証明能力を持たせた形態で個人情報を登録可能とし、身分証明書としての機能を持たせる。【解決手段】カメラを備えた携帯端末の購入契約が終了すると（ステップ１００）、身分証明書の機能を取得する場合、そのための手続をこの携帯端末の購入店に依頼する（ステップ１０１）。購入店は、この購入者に関する情報（氏名，住所など）を携帯端末に入力するとともに、カメラで購入者の顔写真を撮影し、これらを購入者の個人情報として携帯運営会社に送信する。携帯運営会社は、この個人情報を受信すると、顔写真が合成された身分証明書のフォーマットの画像を作成し、さらに、セキュリティを掛けて携帯端末に送信する。携帯端末では、これが受信されてメモリに登録される。この登録された画像を読み出して表示装置に供給することにより、身分証明書が表示される（ステップ１０３）。【選択図】        図２
2004179859.tif 000002
【特許請求の範囲】
【請求項１】
入力操作手段と、情報を記録する記憶手段と、該記憶手段に記憶されている情報を表示可能とする表示手段と、通信機能とを備えた携帯端末であって、
該記憶手段に、個人の身分を証明する個人情報が入力操作手段の操作によっては書き替え不能に登録されており、該個人情報を該表示手段で表示可能としたことを特徴とする携帯端末。
【発明の詳細な説明】
【０００１】
【発明の属する技術分野】
本発明は、携帯電話やＰＤＡ（Ｐｅｒｓｏｎａｌ  Ｄｉｇｉｔａｌ  Ａｓｓｉｓｔａｎｔ：携帯情報端末）などの通信機能を備えた個人用の携帯端末に係わり、特に、個人情報を記録可能とした携帯端末に関する。
【０００２】
【従来の技術】
従来、企業や官公庁，施設などに勤務する個人や学生に対しては、身分証明書が発行される。このような身分証明書には、この個人に関する氏名や勤務先，学校などといった事項とともに、顔写真も貼られており、これらの個人情報によって個人の身分を証明することができる。また、このような身分証明書を所有しなくとも、運転免許証を所有しておれば、この運転免許証においても、その所有者の氏名や住所などの事項が記載され、また、顔写真も貼られているから、運転免許証を提示することにより、その所有者の身分を証明することができる。
【０００３】
また、１つの構内で使用される構内ページングの携帯端末（ページャ）に身分証明書を接着シートで固定したり、ページャに設けられた隙間に身分証明書を、外部から見えるように、挟み込んだりして、ページャを身分証明書にも兼用できるようにした技術も提案されている（例えば、特許文献１参照）。
【０００４】
さらに、勤務先から発行される身分証明書や運転免許証がない場合には、その身分を証明するものとして、健康保険証が多く利用されている。
【０００５】
【特許文献１】
特開平１０ー２８５０９０号公報
【０００６】
【発明が解決しようとする課題】
ところで、健康保険証も、身分の証明に利用できるが、顔写真がないために、健康保険証を持参してきたものであるから、この健康保険証はこの持参者のものということで証明されるものであり、顔写真も個人情報として有する身分証明書や運転免許証のレベルの証明を可能とするものではない。
【０００７】
また、携帯電話などの携帯端末の普及により、かかる携帯端末を身分証明書として利用できれば、これまで身分証明書を持てなかった人も身分証明書を持てることになり、非常に便利なものとなるが、携帯端末に関しては、従来の身分証明書や運転免許証のようなレベルで個人情報を管理できるようなシステムは存在しない。つまり、携帯端末に個人情報を入力して保存しても、この個人情報は変更，改ざんがいつでも可能であり、個人の身分の証明能力はない。
【０００８】
本発明の目的は、かかる問題点を解消し、個人の身分の証明能力を持たせた形態で個人情報を登録可能とし、身分証明書としての機能を備えた携帯端末を提供することにある。
【０００９】
【課題を解決するための手段】
上記目的を達成するために、本発明は、入力操作手段や記憶手段，表示手段，通信機能を備えた携帯端末であって、個人の身分を証明する個人情報がこの記憶手段に書き替え不能に登録されており、この個人情報を表示手段で表示可能としたものである。
【００１０】
【発明の実施の形態】
以下、本発明の実施形態を図面を用いて説明する。
携帯端末を購入するときには、まず、携帯端末の運営会社（以下、携帯運営会社という）との間で契約を行なう。この契約は、携帯端末の購入者が直接携帯運営会社に出向いて行なってもよいし、また、この携帯端末を購入した販売店に代行して貰ってもよいが、このときに、購入した携帯端末に身分証明書の機能を持たせるように、依頼することができる。勿論、既に購入済みの携帯端末に身分証明書の機能を持たせるべく依頼することもできる。
【００１１】
図１は本発明による携帯端末の一実施形態に身分証明書の機能を持たせるためのシステムを概略的に示す図であって、１はこの実施形態の携帯端末、２はカメラ、３はアンテナ、４は携帯運営会社、５はアンテナである。
【００１２】
同図において、携帯端末１としては、従来の携帯端末と同様の各種操作キーからなるキー操作部といった入力操作手段や表示画面，情報の記憶手段，通信手段などからなる構成をなしているが、さらに、カメラ２を備えたものもある。かかる携帯端末１を携帯運営会社４と契約している携帯端末の販売店（図示せず）で購入する場合には、この携帯端末１の購入者がこの販売店に身分証明書などの従来の方法で身分を証明することにより、販売店が、この携帯端末１に関して、携帯運営会社４との間の購入契約を代行してくれる。この購入契約は、この購入者に関する情報（氏名，住所，生年月日など）が身分証明書などから取得されて入力操作手段から携帯端末１に入力され、アンテナ３，５を介して携帯運営会社に送られることにより、なされるものである。そして、この購入契約された携帯端末１がカメラ２を備えている場合には、この携帯端末１に身分証明書としての機能を持たせるための携帯運営会社４への手続をこの販売店に代行させることができる。
【００１３】
次に、図２により、かかる手続の手順の一具体例を説明する。
【００１４】
上記のようにして、携帯端末１の購入契約が終了して（ステップ１００）、そのユーザ（購入者）がそれ以上の希望をしなければ、あるいは、この携帯端末１がカメラ２を備えていなければ、手続はこれで終了する（ステップ１０１）。この場合の携帯端末１は通常の携帯端末としての機能だけを持つものである。
【００１５】
これに対して、購入した携帯端末１がカメラ２を備えており、かつユーザがこの携帯端末１に身分証明書としての機能を持たせることを希望し、そのための手続をこの携帯端末１の購入店（販売店）に依頼すると（ステップ１０１）、この販売店は、契約時と同様のこのユーザに関する情報をこの携帯端末１に入力操作手段で入力するとともに、カメラ２でこのユーザの顔写真を撮影して入力する。そして、この携帯端末１で身分証明書としての機能の取得のための所定の操作を入力操作手段で行なうと、機能取得指示情報とともに、これらユーザに関する情報とユーザの顔写真とが、個人情報として、携帯運営会社４に送信される。携帯運営会社４では、この機能取得指示情報と個人情報とを受信すると、この個人情報をもとに顔写真が合成された身分証明書としてのフォーマットの画像情報を作成し、さらに、身分証明書の内容を変更したり、改ざんしたりすることができないようにするために、セキュリティを掛けて携帯端末１に送信する。携帯端末１は、この画像情報を受信すると、所定のメモリに、身分証明書として、記憶して登録する（ステップ１０２）。
【００１６】
これにより、この携帯端末１は身分証明書としての機能が備わったことになり、携帯端末１の入力操作手段で身分証明書の提示のための所定の操作をすると、図３に示すように、その表示画面６に顔写真７ａが合成された身分証明書が表示される。このようにして、携帯端末１を身分証明書として用いることができるようにする（ステップ１０３）。
【００１７】
また、この身分証明書にも有効期限があり、この有効期限近くになったり、有効期限が切れたりなどして再発行を希望する場合には、あるいはまた、携帯端末１の所有者が変更になって、新たな所有者がその身分証明書の発行を希望する場合には、さらには、カメラ付きの携帯端末を購入したときに身分証明書の機能の取得手続をしなかったが、その後、この機能を必要とするようになった場合には、携帯端末の販売店にその手続きを依頼することにより、上記と同様の手続きにより、古い身分証明書の画像に代わって新しい身分証明書の画像を登録することができ、この携帯端末１を再度身分証明書として利用することができる。
【００１８】
なお、以上の登録の手続きはカメラ２を備えた携帯端末１についてであったが、カメラ２を備えていない携帯端末の場合には、健康保険証などのそのユーザを証明するものと顔写真とを持参して携帯運営会社４に上記機能の登録を依頼することにより、携帯運営会社４で図２でのステップ１０２の処理がなされ、携帯端末１はそのユーザの個人情報が登録されて身分証明書の機能が付与されることになる（ステップ１０３）。
【００１９】
以上のように、この実施形態では、携帯端末１に身分証明書の機能が付与されると、この身分証明書のフォーマットが、通常の身分証明書と同様、この携帯端末１を契約状所有するユーザに関する氏名，住所，生年月日などの情報とユーザの顔写真とが合成されたものとなっているので、身分証明書であることが第三者に明確である。また、身分証明書の機能を取得する場合には、かかるユーザに関する情報と顔写真とが別々の手段で携帯端末１に入力されるが、携帯端末１では、このように入力操作手段で入力された情報とカメラ２から入力された情報とを合成する機能を有していないので、携帯端末１だけでかかる身分証明書の画像情報を作成することはできず、身分証明書の偽造を防止することができる。さらに、携帯端末１に登録されたかかる身分証明書の画像情報には、セキュリティが掛けられているので、これを変更したり、改ざんしたりすることはできない。
【００２０】
【発明の効果】
以上説明したように、本発明によれば、個人の身分を証明する個人情報が書き替え不能に登録されており、これが表示手段で表示されるものであるから、身分証明書として有効な携帯端末を提供することができ、勤務先や学校などが発行する身分証明書や運転免許証を所持しない人に対しても、携帯端末を身分証明書として利用することを可能にする。
【図面の簡単な説明】
【図１】本発明による携帯端末の一実施形態の身分証明書の機能取得のための状態を示す図である。
【図２】図１に示す実施形態の身分証明書の機能取得のための手続の手順を示すフローチャートである。
【図３】図１に示す実施形態での身分証明書の表示画面の一具体例を示す図である。
【符号の説明】
１  携帯端末
２  カメラ
３  アンテナ
４  携帯運営会社
５  アンテナ
６  表示画面
７  身分証明書
７ａ  顔写真
【図１】
2004179859.tif 000003
【図２】
2004179859.tif 000004
【図３】
2004179859.tif 000005